(57)【要約】【課題】端末装置の表示器の画像を他の表示装置の表示画面に、自由にかつ簡単に表示させることができる表示システムを提供する。【解決手段】実施形態の表示システム１は、表示装置３と端末装置２を含む。表示装置３は、通信部３６と、操作部３５と、表示部３４と、表示管理ソフトウエア４４を有する。表示管理ソフトウエア４４は、端末装置２から、端末装置２の表示性能情報、及び端末装置２の識別情報を受信すると、端末装置２の表示性能情報に基づき表示部３４において端末装置２からの表示データを表示可能な場合に、表示部３４に表示可能な端末装置２の情報を表示し、接続許可を端末装置２へ送信し、かつ接続許可の送信後に端末装置２からの表示データを通信部３６を介して受信するように制御する。前記端末装置は、接続許可の受信後に、表示データを通信部１６を介して送信するように制御される。【選択図】図１
2012019413.tif 000002
【特許請求の範囲】
【請求項１】
表示装置と端末装置を含む表示システムであって、
前記表示装置は、
前記端末装置と通信するための第１の無線通信部と、
第１の操作部と、
第１の表示部と、
前記端末装置から、前記端末装置の表示性能情報、及び前記端末装置の識別情報を受信すると、前記端末装置の前記表示性能情報に基づき前記第１の表示部において前記端末装置からの表示データを表示可能な場合に、前記第１の表示部に表示可能な端末装置の情報を表示し、接続許可信号を前記端末装置へ送信し、かつ前記接続許可信号の送信後に前記端末装置からの表示データを前記第１の無線通信部を介して受信するように制御する第１の制御部と、
を有し、
前記端末装置は、
前記表示装置と通信するための第２の無線通信部と、
前記表示装置の識別情報を入力するための第２の操作部と、
第２の表示部と、
前記表示装置の識別情報が前記第２の操作部から入力されると、前記表示性能情報及び前記端末装置の識別情報を、前記表示装置へ、前記第２の無線通信部を介して送信し、かつ前記接続許可信号の受信後に、前記第２の表示部に表示するための前記表示データを前記第２の無線通信部を介して送信するように制御する第２の制御部と、
を有することを特徴とする表示システム。
【請求項２】
表示装置と端末装置を含む表示システムであって、
前記表示装置は、
前記端末装置と通信するための第１の無線通信部と、
第１の操作部と、
第１の表示部と、
前記端末装置の表示性能情報及び前記端末装置の識別情報と共に、前記端末装置からの利用可能であるか否かを問い合わせる問い合わせ信号を受信すると、前記端末装置の前記表示性能情報に基づき前記第１の表示部において前記端末装置からの表示データを表示可能な場合に、前記第１の表示部に前記表示装置の識別情報を表示し、前記端末装置により前記表示装置が選択されると、前記端末装置からの表示データを前記第１の無線通信部を介して受信するように制御する第１の制御部と、
を有し、
前記端末装置は、
前記表示装置と通信するための第２の無線通信部と、
第２の操作部と、
第２の表示部と、
前記第２の操作部に対して所定の操作があると、前記端末装置の前記表示性能情報及び前記端末装置の識別情報を含む、利用可能な表示装置を探索するための問い合わせ信号を前記第２の無線通信部を介して送信し、前記利用可能な表示装置からの返答に応じて、前記利用可能な表示装置の情報を前記第２の表示部に表示し、前記利用可能な表示装置に対する選択が行われると、前記利用可能な表示装置との通信を確立して、前記第２の表示部に表示するための表示データを前記第２の無線通信部を介して送信するように制御する第２の制御部と、
を有することを特徴とする表示システム。
【請求項３】
表示装置と端末装置を含む表示システムであって、
前記表示装置は、
前記端末装置と通信するための第１の無線通信部と、
前記端末装置と通信するための第２の無線通信部と、
第１の操作部と、
第１の表示部と、
前記第２の無線通信部を介して前記端末装置からの接続要求信号を受信すると、前記端末装置の表示性能情報に基づいて前記第１の表示部により表示可能な場合に、接続許可信号を送信し、前記端末装置からの表示データを前記第１又は前記第２の無線通信部を介して受信するように制御する第１の制御部と、
を有し、
前記端末装置は、
前記表示装置と通信するための第３の無線通信部と、
前記表示装置と通信するための第４の無線通信部と、
第２の操作部と、
第２の表示部と、
前記第４の無線通信部を介して接続要求信号を送信し、前記接続許可信号を受信すると、前記第２の表示部に表示するための表示データを前記第３又は前記第４の無線通信部を介して送信するように制御する第２の制御部と、
を有することを特徴とする表示システム。
【請求項４】
表示装置と通信するための無線通信部と、
前記表示装置の識別情報を入力するための操作部と、
表示部と、
前記表示装置の識別情報が前記操作部から入力されると、表示性能情報及び自己の識別情報を、前記表示装置へ、前記無線通信部を介して送信し、かつ前記表示装置からの接続許可信号の受信後に、前記表示部に表示するための前記表示データを前記無線通信部を介して送信するように制御する制御部と、
を有する端末装置。
【請求項５】
端末装置と通信するための無線通信部と、
操作部と、
表示部と、
前記端末装置から、前記端末装置の表示性能情報、及び前記端末装置の識別情報を受信すると、前記端末装置の前記表示性能情報に基づき前記表示部において前記端末装置からの表示データを表示可能な場合に、前記表示部に表示可能な端末装置の情報を表示し、接続許可信号を前記端末装置へ送信し、かつ前記接続許可信号の送信後に前記端末装置からの表示データを前記無線通信部を介して受信するように制御する制御部と、
を有する表示装置。
【請求項６】
表示装置と通信するための無線通信部と、前記表示装置の識別情報を入力するための操作部と、表示部とを有する端末装置のCPUに、
前記表示装置の識別情報が前記操作部から入力されると、表示性能情報及び自己の識別情報を、前記表示装置へ、前記無線通信部を介して送信し、かつ前記表示装置からの接続許可信号の受信後に、前記表示部に表示するための前記表示データを前記無線通信部を介して送信する手順を実行させるためのプログラム。
【発明の詳細な説明】
【技術分野】
【０００１】
本発明の実施形態は、表示システム、端末装置、表示装置、及びプログラムに関する。
【背景技術】
【０００２】
従来より、携帯情報端末、携帯電話等の端末装置は、その装置自体に設けられた表示器にのみ画像等の表示データの表示を行う。携帯情報端末等のユーザは、他の表示装置で画面の内容を見ることはできない。  
しかし、携帯電話の画像を他の表示装置に表示させる技術が提案されているが、その場合、他の表示装置は、予め登録されたものでなければならず、ユーザは、画像を表示させたい表示装置を自由にかつ簡単に選択することはできなかった。
【先行技術文献】
【特許文献】
【０００３】
【特許文献１】特開２００４−３２１０４号公報
【特許文献２】国際公開WO０２／２９６５５号
【発明の概要】
【発明が解決しようとする課題】
【０００４】
そこで、本実施形態は、端末装置の表示器の画像を他の表示装置の表示画面に、自由にかつ簡単に表示させることができる表示システム、端末装置、表示装置、及びプログラムを提供することを目的とする。
【課題を解決するための手段】
【０００５】
実施形態の表示システムは、表示装置と端末装置を含む表示システムである。前記表示装置は、前記端末装置と通信するための第１の無線通信部と、第１の操作部と、第１の表示部と、第１の制御部を有する。第１の制御部は、前記端末装置から、前記端末装置の表示性能情報、及び前記端末装置の識別情報を受信すると、前記端末装置の前記表示性能情報に基づき前記第１の表示部において前記端末装置からの表示データを表示可能な場合に、前記第１の表示部に表示可能な端末装置の情報を表示し、接続許可信号を前記端末装置へ送信し、かつ前記接続許可信号の送信後に前記端末装置からの表示データを前記第１の無線通信部を介して受信するように制御する。前記端末装置は、前記表示装置と通信するための第２の無線通信部と、前記表示装置の識別情報を入力するための第２の操作部と、第２の表示部と、第２の制御部を有する。第２の制御部は、前記表示装置の識別情報が前記第２の操作部から入力されると、前記表示性能情報及び前記端末装置の識別情報を、前記表示装置へ、前記第２の無線通信部を介して送信し、かつ前記接続許可信号の受信後に、前記第２の表示部に表示するための前記表示データを前記第２の無線通信部を介して送信するように制御する。
【図面の簡単な説明】
【０００６】
【図１】第１の実施形態に係わる表示システムの構成図である。
【図２】第１の実施形態に係わる端末装置２の構成を示すブロック図である。
【図３】第１の実施形態に係わる端末２のソフトウエアの構成を説明するための図である。
【図４】第１の実施形態に係わる表示装置３の構成を示すブロック図である。
【図５】第１の実施形態に係わる表示装置３のプログラムの構成を説明するための図である。
【図６】第１の実施形態に係わる、ユーザAが自己の端末２の画像を、ある表示装置３の表示画面３ａに表示させる場合を説明するための図である。
【図７】第１の実施形態に係わる、表示装置３の表示管理ソフトウエア４４の動作を示すフローチャートである。
【図８】第１の実施形態に係わる、端末２の表示装置接続ソフトウエア２４の動作を示すフローチャートである。
【図９】第１の実施形態に係わる、S11により表示された表示装置の識別番号の入力画面の例を示す図である。
【図１０】第１の実施形態に係わる、端末２からの端末２の識別情報と表示能力情報を受信した後の、制御部としての表示管理ソフトウエア４４の処理の流れの例を示すフローチャートである。
【図１１】第１の実施形態に係わる、表示装置３の表示画面３ａ上に表示される表示可能なユーザの例を示す図である。
【図１２】第１の実施形態に係わる、選択された結果の表示画面３ａの表示例を説明するための図である。
【図１３】図８の処理の後における表示装置接続ソフトウエア２４の処理の流れの例を示すフローチャートである。
【図１４】第２の実施形態に係る、端末２の表示装置接続ソフトウエア２４Ａの動作を示すフローチャートである。
【図１５】第２の実施形態に係る、利用可能結果の画面表示の例を示す図である。
【図１６】第２の実施形態に係る、表示管理ソフトウエア４４Aの処理の流れの例を示すフローチャートである。
【図１７】第３の実施形態に係る端末２Aの構成を示すブロック図である。
【図１８】第３の実施形態に係る表示装置３Aの構成を示すブロック図である。
【図１９】第３の実施形態に係る、端末２Aを表示装置３Aに近付けた状態を説明するための図である。
【図２０】第３の実施形態に係る、表示装置３Aの制御部としての表示管理ソフトウエア４４B（図５）の処理の流れの例を示すフローチャートである。
【図２１】第３の実施形態に係る、一旦接続可能とされた端末が表示装置を利用しなくなったときにおける、表示装置３Aの表示管理ソフトウエア４４Bにおける接続可能端末リストの更新処理の流れの例を示すフローチャートである。
【図２２】第３の実施形態に係る、端末２Aの表示装置接続ソフトウエア２４Bの処理の流れの例を示すフローチャートである。
【図２３】第３の実施形態に係る、表示装置３Aの表示管理ソフトウエア４４Bにおける、接続状態を管理する処理の流れの例を示すフローチャートである。
【図２４】第３の実施形態に係る、許可後の表示装置接続ソフトウエア２４Bの処理の流れの例を示すフローチャートである。
【図２５】実施形態の変形例に係る、２つの分割領域１０１ａ、１０１ｂを有する一つの表示装置１０１の例を示す図である。
【図２６】実施形態の変形例に係る、表示装置の表示画面が左右の方向から見ると、それぞれ別の表示データをみることができる表示装置の例を示す図である。
【図２７】実施形態の変形例に係る、さらに大きな表示画面を有して、３以上に分割された表示領域を有する表示装置の例を示す図である。
【発明を実施するための形態】
【０００７】
以下、図面を参照して実施形態を説明する。  
（第１の実施形態）
（構成）
まず、図１に基づき、本実施形態に係わる表示システムの構成を説明する。図１は、本実施形態に係わる表示システムの構成図である。図１に示すように、表示システム１は、複数の端末装置２と、複数の表示装置３とを含んで構成される。以下、ここでは、端末装置２は、携帯情報端末（PDA）を例として説明するが、端末装置２は、携帯電話、ノートパソコン（PC）、電子書籍端末等であってもよい。端末装置２は、小さな表示画面２ａの表示器を有するのに対して、表示装置３は、大きな表示画面３ａの表示器を有する。  
本実施形態では、複数のユーザは、それぞれ自己の端末装置２を携帯しており、各ユーザは、自己の居る場所にある１又は２以上の表示装置３の中から、複数の表示装置３の中から利用したい表示装置３を選択して、自由に利用することができる。
【０００８】
図２は、端末装置（以下、単に端末という）２の構成を示すブロック図である。PDAである端末２は、中央処理装置（CPU）１１と、ソフトウエアプログラム（以下、ソフトウエアという）が格納されたROM１２と、作業メモリとしてのRAM１３と、LCD等の表示器である表示部１４と、ユーザが操作するキーボード、ボタン等の操作部１５と、無線通信を行うアンテナ、通信回路等からなる無線通信部である通信部１６とを、含んで構成されている。CPU１１，ROM１２、及びRAM１３は、バス１７に接続されている。表示部１４，操作部１５及び通信部１６も、それぞれインターフェース（I/F）１４ａ，１５ａ及び１６ａを介して、バス１７に接続されている。  
なお、表示部１４と操作部１５は、タッチパネルとソフトウエアキーボード表示による場合は、一つの装置として構成することができる。
【０００９】
図３は、端末２のソフトウエアの構成を説明するための図である。端末２は、図２に示したCPU１１等のハードウエア(H/W)２１上に、オペレーティングシステム（OS）２２が搭載され、そのOS２２の制御の下で、各種アプリケーションソフトウエア（AP）２３が動作する。各種アプリケーションソフトウエア（AP）２２の中に、後述する表示装置接続ソフトウエア２４、及び表示装置３との通信を行う通信ソフトウエア２５が含まれる。上述したように、端末２は、PDA等の端末であり、無線通信部である通信部１６と通信ソフトウエア２５とにより、例えば、IEEE８０２．１１仕様の通信が可能である。
【００１０】
図４は、表示装置３の構成を示すブロック図である。表示装置３は、CPU３１と、ソフトウエアが格納されたROM３２と、作業メモリとしてのRAM３３と、LCD等の表示器である表示部３４と、ユーザが操作する操作ボタン等を含む操作部３５と、無線通信を行うアンテナ、通信回路等からなる無線通信部である通信部３６とを、含んで構成されている。CPU３１，ROM３２、及びRAM３３は、バス３７に接続されている。表示部３４，操作部３５及び通信部３６も、それぞれインターフェース（I/F）３４ａ，３５ａ及び３６ａを介して、バス３７に接続されている。
【００１１】
図５は、表示装置３のプログラムの構成を説明するための図である。表示装置３は、図４に示したCPU３１等の示すハードウエア(H/W)４１上に、オペレーティングシステム（OS）４２が搭載され、そのOS４２の制御の下で、各種アプリケーションプログラム４３が動作する。各種アプリケーション４２の中に、後述する表示管理ソフトウエア４４、及び端末２との通信を行う通信ソフトウエア４５が含まれる。表示装置３は、大きなサイズの表示画面３ａを有する表示器である表示部３４を有する装置であり、無線通信部である通信部３６と通信ソフトウエア４５とにより、例えば、IEEE８０２．１１仕様の通信が可能である。
【００１２】
各端末２のユーザは、以下に説明するように、利用したい表示装置３を自由に選択あるいは指定して、端末２の小さな表示画面２ａに表示される画像を、表示装置３の大きな表示画面３ａ上に表示させることができる。
【００１３】
（動作）
次に、表示システム１の動作を説明する。ある端末２のユーザが、ある表示装置３を利用して、端末２の表示画面２ａに表示されている画像を大きな表示画面３ａに表示させたい場合を想定する。
【００１４】
図６は、ユーザAが自己の端末２の画像を、ある表示装置３の表示画面３ａに表示させる場合を説明するための図である。図７は、表示装置３の表示管理ソフトウエア４４の動作を示すフローチャートである。図８は、端末２の表示装置接続ソフトウエア２４の動作を示すフローチャートである。以下では、ユーザAが、自己の端末２を保持し、表示装置３を利用したい場合を例に説明する。
【００１５】
図７に示すように、表示装置３の制御部としての表示管理ソフトウエア４４は、既に通信中のユーザがいるか否かを判定する（ステップ（以下、Sと略す）１）。表示装置３は、既に他のユーザによって利用されている場合（S1:YES）は、表示画面３ａ上に利用中のユーザがいる旨を表示画面３ａ上に表示する（S2）。この表示は、所定の、メッセージ、マーク、アイコンである。
【００１６】
通信中のユーザがいない場合（S1:NO）は、所定のキー入力が有るか否かが判定される（S3）。所定のキー入力は、表示画面３ａを端末２の表示器として利用するための指示の入力であり、例えば、ユーザが表示装置３の操作部３５に対する所定の操作である。例えば、所定の操作は、操作部３５の所定のボタンを押す等の操作である。
【００１７】
表示装置３は、その所定のキー入力があると（S3:YES）、その表示装置３の識別情報である自己の識別番号を表示画面３ａに表示する（S4）。図６は、表示画面３ａ上の所定の表示領域５１内に、その表示装置３の識別番号「１」が表示されていることを示している。
【００１８】
以上のように、ユーザは自己の端末２の表示画面として表示装置３の表示画面３ａを利用したい場合に、その利用したい表示装置３に所定の操作をすると、その表示装置３は、自己の識別情報として識別番号を表示する。
【００１９】
図８に示すように、利用したい表示装置３の識別番号が表示されると、ユーザは、端末２の表示装置接続ソフトウエア２４を起動する。端末２の制御部としての表示装置接続ソフトウエア２４が起動されると、表示装置接続ソフトウエア２４は、ユーザによる表示装置３の識別番号の入力処理を実行する（S11）。S11の入力処理では、ユーザが表示装置３の識別番号を入力するための画面が、端末２の表示画面２ａに表示される。
【００２０】
図９は、S11により表示された表示装置の識別番号の入力画面の例を示す図である。端末２の表示画面２ａには、ポップアップウインドウ６１が表示される。ポップアップウインドウ６１には、メッセージ「接続する表示装置の識別番号を入力して下さい。」が表示され、さらに、その識別番号２を入力するために入力フィールド６２と、入力データの確定を指示するボタン６３が含まれる。ユーザは、表示画面２ａ上のカーソルを移動させて、利用したい表示装置３の識別番号、ここでは、「１」を入力フィールド６２に入力し、確定ボタン６３を選択することができる。
【００２１】
制御部としての表示装置接続ソフトウエア２４は、利用したい表示装置３の識別番号がユーザによって操作部１６から入力されると、端末２の自己の識別情報と、要求される表示能力情報を通信部１６を介して表示装置３へ送信する（S12）。なお、端末２の自己の識別情報は、ユーザ名等を含んでもよい。
【００２２】
なお、ここでは、表示装置３の識別番号は、ユーザによる所定の操作されることにより表示画面３ａ上に表示されるが、表示装置３の筐体に、シール等により識別番号が常に判るようになっている場合は、図７のキー入力の判断及び自己の識別番号の表示処理は省略することができる。
【００２３】
図１０は、端末２からの端末２の識別情報と表示能力情報を受信した後の、制御部としての表示管理ソフトウエア４４の処理の流れの例を示すフローチャートである。  
表示装置３は、端末２からの端末２の識別情報と表示能力情報を受信すると、その要求された表示能力情報に基づき、端末２からの表示データが自己の表示部３４において表示可能であるか否かを判定する（S21）。すなわち、表示装置３は、要求された表示能力情報が自己の表示部３４の表示能力を超えていないか否かを判定する。例えば、表示装置３の表示能力としては、画面の縦横の画素数等である。表示装置３は、要求された表示能力が自己の表示能力を超えている、あるいは許容できない場合は、表示不可と判定する（S21:NO）。
【００２４】
表示不可の場合（S21:NO）は、表示装置３は、表示不可のメッセージを表示画面３ａ上に表示する（S22）。  
以上のように、表示装置３では、端末２から、端末２の表示性能情報及び端末２の識別情報を受信すると、端末２の表示性能情報に基づき、表示部３４により表示可能な場合に、表示部３４に表示可能な端末２の情報を表示する。
【００２５】
表示可の場合（S21:YES）は、表示装置３は、利用可能なユーザの表示を更新する（S23）。図１１は、表示装置３の表示画面３ａ上に表示される表示可能なユーザの例を示す図である。表示装置３に対して、複数の端末から利用したい旨の要求がある場合がある。なお、二人のユーザが表示可能であると表示される場合があるのは、図６に示すように、他のユーザＢが、ユーザAと同時に、あるいは表示装置３が利用ユーザを決定するまでのユーザAとのわずかな時間の間に、同じ表示装置３を利用したいと同様の操作をする場合があるからである。図１１は、表示画面３ａ上の所定の表示領域５２内に、その表示可能なユーザとして、AとBが表示されていることを示している。図１１では、端末２の識別情報としてユーザ名を含むので、そのユーザ名として、AとBが表示領域５２に表示されている。  
なお、その表示装置３の利用を希望する端末が一台の場合は、図１１の表示を省略して、後述する図１２の表示のみでもよい。  
以上のように、表示装置３は、表示画面３ａ上に表示可能なユーザの情報を表示し、さらに必要があれば更新する。
【００２６】
次にユーザ選択が行われる（S24）。  
図１１には、表示装置３の利用可能なユーザが表示されているので、利用するユーザがユーザAの場合は、例えば、操作部３５の所定のボタンを操作して表示画面３ａ上のカーソルを移動させて、ユーザAを選択することができる。表示装置３の表示画面３ａ上に、利用可能なユーザが複数表示されている場合は、ユーザ間で話が行われて調整されて、一人のユーザが選択される。図１２は、選択された結果の表示画面３ａの表示例を説明するための図である。図１２では、利用ユーザ名が所定の表示領域５３内に表示される。  
なお、ユーザの選択が行われない間は（S24:NO）、処理は、S21に戻る。
【００２７】
さらになお、表示装置３の表示画面３ａがタッチパネル機能を有する場合は、ユーザが、画面上のユーザAの部分を触れることによって、ユーザ選択が行われるようにしてもよい。
【００２８】
また、端末２からの表示能力情報が複数の表示能力情報を含むようにしてもよく、その場合は、表示装置３は、複数の表示能力の中で利用可能な表示能力を表示して、ユーザに選択させるようにしてもよい。
【００２９】
ユーザの選択が行われると（S24:YES）、表示装置３は、選択されたユーザへの接続許可の通知を行う（S25）。そして、表示装置３は、端末２との通信を確立して通信処理を実行する（S26）。  
以上のように、表示装置３は、表示部３４に表示可能な端末２の情報を表示した後、接続許可を端末２へ送信し、かつその接続許可の送信後に端末２からの表示データを通信部３６を介して受信するように制御される。
【００３０】
ユーザは、自己の端末２の画面の表示データの送信を開始するので、表示装置３の大きな表示画面３ａ上に、その端末２に表示されている画面が表示される。よって、例えば、そのユーザは、端末２の画面、例えば、ネットのＷＥＢ画面、カメラで撮像した画像を、表示装置３の大きな表示画面３ａで見ることができる。すなわち、端末２は、接続許可の受信後に、表示部１４の表示画面２ａに表示するための表示データを通信部１６を介して送信するように制御される。
【００３１】
図１３は、図８の処理の後における表示装置接続ソフトウエア２４の処理の流れの例を示すフローチャートである。  
端末２は、表示装置３との通信を確立する処理を行い（S31）、許可された表示能力に合致した画面を生成して（S32）、通信処理を実行する（S33）。ユーザは、端末２の使用を終了する等の処理をするまで、通信処理の実行を継続する（S34:NO）。例えば、ユーザが表示装置接続ソフトウエア２４の実行を終了すると、S34でYESとなって処理は終了する。
【００３２】
なお、使用中の端末２の通信の切断は、S3における所定のキー入力があると、それまで使用していた端末との通信を終了するようにしてもよい。
【００３３】
以上のように、ユーザは、利用したい表示装置３があれば、所定のキー入力を行って、表示装置３の識別番号を、その表示装置３の表示画面３ａに表示させる。ユーザは、その識別番号を端末２に入力して、端末２から自己の識別情報と表示能力情報を表示装置３に送信する。すると、表示装置３は、その端末２からの表示データを表示可能であれば、利用可能ユーザを表示画面３ａ上に表示する。表示されたユーザの選択が行われると、選択されたユーザすなわち端末２への接続許可を通知する。その結果、ユーザは、自己の端末２の画像を表示装置３で表示可能であることを確認して、表示データの送信を行うことができる。  
従って、本実施の形態によれば、ユーザは、利用したい表示装置を自由にかつ簡単に選択して、表示画面として利用することができる。
【００３４】
（第２の実施形態）
第１の実施形態ではユーザが選択した表示装置に対して、端末２が接続できる表示システムであるが、本実施形態の表示システムでは、端末が利用可能な表示装置を問い合わせて、利用可能な１又は２以上の表示装置の中からユーザに選択させ、その選択された表示装置を利用できるようにするものである。  
端末２と表示装置３の構成は、第１の実施形態と略同様であるので、異なる構成部分について主に説明する。
【００３５】
図１４は、本実施形態に係る、端末２の表示装置接続ソフトウエア２４Ａの動作を示すフローチャートである。  
ユーザは、制御部としての表示装置接続ソフトウエア２４A（図３）を起動すると、図１４の処理が実行される。まず、操作部１５に対する操作である所定の操作がされたか否かが判定される（S41）。ここで、所定の操作とは、大きな表示画面３ａを有する表示装置３を探索するための所定の操作である。  
所定の操作が無ければ（S41:NO）、処理は何もせず、終了する。
【００３６】
所定の操作があると（S41:YES）、接続して利用可能な表示装置があるか否かの問い合わせを行う（S42）。この問い合わせは、端末２が所定の信号を送信し、表示装置３がその所定の信号を受信すると、所定の結果信号を出力することによって、行われる。所定の信号は、端末２の自己の識別情報と、表示能力情報とを含む。すなわち、端末２は、操作部１５に対して所定の操作があると、端末２の表示性能情報及び端末２の識別情報を含む、利用可能な表示装置を探索するための問い合わせを通信部１６を介して送信する。
【００３７】
例えば、各表示装置３は、端末２からの所定の信号を受信すると、既に利用状態にあると、所定の結果信号を送信しない。利用状態とは、例えば画像データが入力されていてその画像表示を行っている状態にある場合などである。各表示装置３は、端末２からの所定の信号を受信したときに、利用状態になく、かつ要求された表示能力を満足する場合に、利用可能である旨を示す所定の結果信号を送信する。
【００３８】
所定の結果信号は、表示装置３の自己の識別情報としての識別番号を含む。  
端末２は、複数の表示装置３から利用可能であることを示す結果情報を受信すると、図１５に示すような画面を表示する（S43）。
【００３９】
図１５は、利用可能結果の画面表示の例を示す図である。端末２の表示画面２ａには、ポップアップウインドウ６４が表示される。ポップアップウインドウ６４には、メッセージ「利用可能な表示装置は、」が表示され、さらに、表示装置の識別番号を表示する出力フィールド６５と、選択の確定を指示するボタン６６が含まれる。ユーザは、表示画面２ａ上のカーソルを移動させて、利用したい表示装置３の識別番号、例えば「１」を選択し、確定ボタン６６を選択して入力することができる（S44）。この選択がされると、端末２は、表示装置３にその選択を通知し、表示装置３との間の通信を確立する。
【００４０】
そして、端末２は、その選択した表示装置３との通信処理を実行する（S45）。その通信処理において、表示データを送信して、表示装置３の表示画面３ａ上に表示させることができる。  
すなわち、端末２は、利用可能な表示装置３からの返答に応じて、利用可能な表示装置３の情報を表示部１４に表示し、利用可能な表示装置３に対する選択が行われると、利用可能な表示装置３との通信を確立して、表示部１４に表示するための表示データを通信部１６を介して送信するように制御される。
【００４１】
次に、表示装置３の制御部としての表示管理ソフトウエア４４A（図５）の処理を説明する。図１６は、表示管理ソフトウエア４４Aの処理の流れの例を示すフローチャートである。  
表示装置３は、空いているか否かを判定する（S51）。表示装置３が空いているとは、表示装置３に表示データが入力されておらず表示装置３が利用されていない状態である。表示装置３が空いていなければ、処理は何もせず終了する（S51:NO）。
【００４２】
なお、表示装置３のRAM３３上の所定の記憶領域には、表示装置３が空いている状態であるか否かを示す情報、例えばフラグ情報が、記憶されている。例えば、表示処理を行うソフトウエアあるいはハードウエアを監視するソフトウエアにより、空いている場合には「０」が、空いていない場合は、「１」が、別途、書き込まれる。よって、制御部としての表示管理ソフトウエア４４Aは、そのフラグ情報を確認することによって、空いているか否かを判定することができる。
【００４３】
さらになお、表示装置３はケーブルによる有線で、他の装置と接続されて利用されている場合もあるので、表示装置３は、そのような有線接続による利用状態も含めて、空いている状態であるか否かを判定する。
【００４４】
表示装置３が空いている場合（S51:YES）、端末２からの所定の信号を受信したか否か、すなわち端末２からの接続要求が有ったか否かが判定される（S52）。接続要求がなければ、処理は何もせず終了する。この所定の信号は、図１４のS42において出力された所定の信号である。
【００４５】
接続要求があった、すなわち所定の信号を受信した場合は、所定の信号に含まれる表示能力情報に基づき、その端末２からの表示データが表示部３４において表示可能であるか否かが判定される（S53）。表示可能でない場合は、処理は何もせず終了する（S53:NO）。  
次に表示可能の場合（S53:YES）は、例えば図６に示したような、自己の識別番号を表示画面３ａ上に表示する（S54）。すなわち、表示装置３は、端末２の表示性能情報及び端末２の識別情報と共に、端末２からの利用可能であるか否かを問い合わせる問い合わせを受信すると、端末２の表示性能情報に基づき端末２からの表示データを表示部３４により表示可能な場合に、表示部３４に表示装置３の識別情報を表示する。
【００４６】
そして、表示装置３は、接続可能であることを端末２に通知する（S55）。この接続可能であることを示す通知信号には、表示装置３の識別番号が含まれる。この通知の結果、端末２では、上述した図１５のような画面が表示される。
【００４７】
端末２から所定時間以内に選択通知を受けて通信の確立により、選択がされたか否かが判定される（S56）。この選択は、上述したS44の処理に対応して、選択の通知を受信して端末２との間の通信の確立が行われることにより行われる。表示装置３は、所定時間内に選択がされれば（S56:YES）、通信処理を実行する（S57）。所定時間内に選択がされなければ（S56:NO）、表示装置３は、処理は何もせず、終了する（S56:NO）。すなわち、表示装置３は、端末２により選択されると、端末２からの表示データを通信部３６を介して受信するように制御される。そして、表示装置３は、表示装置３の識別情報を表示した後、所定の時間内に、端末２により選択されないときは、端末２からの表示データを通信部３６を介して受信しないように制御される。
【００４８】
以上のように、本実施の形態によれば、端末２は、所定の操作に応じて、接続し利用可能な表示装置を探索する処理を行う。その探索処理の結果に応じて、端末２は、表示部に接続可能な表示装置を表示する。一方、表示装置３は、上記探索に係る問い合わせを受信すると、自己の識別番号を表示画面３ａ上に表示すると共に、接続可能である旨の通知を返答する。よって、ユーザは、利用したい表示装置３を確認して、選択することによって表示装置３に対する通信が確立されて、表示データの送信を行うことができる。
【００４９】
従って、本実施形態によれば、端末２が、周囲の表示装置の中で利用可能な表示装置があるか否かを問い合わせて、利用可能な表示装置を探し出し、そして、ユーザが探し出された利用可能な表示装置の中から利用したい選択するという簡単な操作で、利用したい表示装置を自由に選択して、表示画面として利用することができる。
【００５０】
（第３の実施形態）
上述した第１及び第２の実施形態の表示システムでは、ユーザが、利用したい表示装置３の識別番号を端末２に入力する、あるいは利用したい表示装置を選択することによって利用したい表示装置３を選択していた。本第３の実施形態の表示システムでは、利用したい表示装置３に端末２を近付けることによって、ユーザは、利用したい表示装置の選択をすることができるものである。
【００５１】
本実施形態の表示システムは、複数の端末２Aと複数の表示装置３Aを含んで構成される。図１７は、端末２Aの構成を示すブロック図である。図１８は、表示装置３Aの構成を示すブロック図である。なお、本実施形態の表示システムにおいて、第１の実施形態と同じ構成要素については、同一符号を付し説明は省略する。  
図１７に示すように、端末２Aは、無線通信部である近接通信部１８を含む。近接通信部１８は、バス１７とインターフェース１８ａを介して接続されている。  
同様に、図１８に示すように、表示装置３Aも、無線通信部である近接通信部３８を含む。近接通信部３８は、バス３７とインターフェース３８ａを介して接続されている。
【００５２】
近接通信部１８，３８は、近接通信（NFC:Near Field Communication）を行うハードウエア回路であり、近年のICカードを利用した料金精算処理等に利用されている通信と同様の通信を行う。近接通信部１８，３８は、無線により通信を行うが、無線信号の強度が所定の閾値以上になると通信を行うことができる。よって、ユーザは端末２Aを表示装置３Aに所定の距離以下になるまで近付けなければ、端末２Aと表示装置３A間では通信が行われない。
【００５３】
図１９は、端末２Aを表示装置３Aに近付けた状態を説明するための図である。図１９に示すように、点線で示した位置から端末２Aを表示装置３Aに近付けると、表示装置３Aの表示画面３ａ上には、表示可能なユーザ名が表示される。
【００５４】
図２０は、表示装置３Aの制御部としての表示管理ソフトウエア４４B（図５）の処理の流れの例を示すフローチャートである。  
まず、表示装置３Aは、近接通信による接続可能端末があるか否かを判定する（S61）。接続可能端末の有無は、近接通信部３８によって検出される。近接通信部３８は、上述したように端末２Aの近接通信部１８からの無線信号の強度が所定の閾値以上になると、接続要求があると判定する。  
接続要求を受信しない場合（S61:NO）、すなわち端末２Aが表示装置３Aの近傍にない場合は、処理は何もしない。
【００５５】
接続要求を受信する場合（S61:YES）、すなわち端末２Aが表示装置３Aの近傍にある場合は、その近傍にある端末２Aに対して、要求する表示性能を問い合わせる（S62）。  
そして、その問い合わせに対して端末２Aからの返答があるか否かが判定される（S63）。端末２Aからの返答があると（S63:YES）、表示性能はOKか、すなわち表示装置３Aの性能がその要求される表示性能を満足するか否かが判定される（S64）。なお、このとき、端末２Aから返答には、端末２Aの識別情報が含まれている。
【００５６】
OKでない場合は（S64:NO）、処理はS61に戻る。OKである場合は（S64:YES）、接続可能な端末リストのデータを更新する（S65）。端末リストには、その接続可能端末として認識され、かつ表示性能がOKである端末の識別情報等が含まれる。なお、S65では、図１９に示すような画面を表示する処理も併せて行われる。
【００５７】
さらに、表示装置３Aは、近接通信部３８により、接続可能端末を認識し、表示性能を満足する場合は、通信部３６により、その接続可能とされた端末２Aとの通信を確立し、端末２Aの通信部１６との間で表示データの通信を行う。その結果、端末２Aの表示データが表示装置３Aの表示部１４の大きな表示画面３ａ上に表示される。
【００５８】
図２１は、一旦接続可能とされた端末が表示装置を利用しなくなったときにおける、表示装置３Aの表示管理ソフトウエア４４Bにおける接続可能端末リストの更新処理の流れの例を示すフローチャートである。  
表示装置３Aと端末２との通信は、端末２Aが一旦接続された後に切断される場合がある。そのような場合、表示管理ソフトウエア４４Bは、接続可能端末リストの更新処理を行う。
【００５９】
図２１に示すように、表示装置３Aは、一旦接続可能とされた端末が、後述するように、切断される場合があるので、そのような切断による接続可能端末に変化があるか否かを判定する（S71）。その変化がなければ（S71:NO）、処理は、何もしない。その変化があると、接続可能な端末リストを更新する（S72）。更新の結果、切断された端末は、その接続可能な端末のリストから削除される。すなわち、表示装置３では、接続要求を受信すると、接続可能端末リストを生成し、接続要求に係る端末２との無線通信が不可能になると、接続可能端末リストを更新する。  
図２１は、そのリストから端末が削除される場合であり、新規に接続される端末は、図２０の処理によりリストに追加される。
【００６０】
次に、端末２Aの制御部としての表示装置接続ソフトウエア２４Bの処理について説明する。  
図２２は、端末２Aの表示装置接続ソフトウエア２４Bの処理の流れの例を示すフローチャートである。端末２Aは、上述した近接通信部１８において表示装置３Aから表示性能の問い合わせがあるか否かを判定し（S81）、その問い合わせがあれば（S81:YES）、自己の要求する表示性能情報を送信する返答を行う（S82）。その問い合わせがなければ（S81:NO）、処理は何もしない。
【００６１】
図２３は、表示装置３Aの表示管理ソフトウエア４４Bにおける、接続状態を管理する処理の流れの例を示すフローチャートである。  
通信部３６を介して、端末２Aからの接続要求があるか否かが判定される（S91）。その接続要求の有無の判定は、端末リストにある端末からの接続要求があるか否かによって行われる。
【００６２】
端末リストに含まれる端末２Aからの接続要求を受信すると、表示装置３Aは、許可を端末２Aに送信する（S92）。
【００６３】
そして、表示装置３Aは、所定の時間をカウントするタイマをオンし（S93）、許可した端末２Aからの表示データを受信したか否かを判定する（S94）。表示データを受信しなければ（S94:NO）、上記タイマがタイムアウトしたか否かが判定される（S95）。タイムアウトしなければ、処理は、S94に戻る。タイムアウトすると、表示装置３Aは、切断と判定し、処理は終了する（S96）。
【００６４】
タイマがタイムアウトするまでに、端末２Aから表示データを受信すると（S94:YES）、表示処理を実行する（S97）。  
以上のように、表示装置３は、近接通信部１８を介して端末２からの接続要求を受信すると、端末２の表示性能情報に基づいて端末２からの表示データを表示部３４により表示可能な場合に、接続許可信号を送信し、端末２からの表示データを通信部３６を介して受信するように制御される。そして、表示装置３は、所定の時間内に端末２からの表示データを通信部３６を介して受信しないときは、端末２からの表示データを受信しないように制御される。
【００６５】
次に、端末２Aにおける処理の流れを説明する。図２４は、前記許可後の表示装置接続ソフトウエア２４Bの処理の流れの例を示すフローチャートである。  
まず、上記S92に対応する許可通知を受信したか否かが判定される（S101）。許可通知を受信しなければ（S101:NO）、処理は何もしない。
【００６６】
接続許可通知を受信すると（S101:YES）、所定のタイマをオンにする（S102）。そして、表示データの送信処理が実行されたか否かが判定される（S102）。  
表示データの送信が行われなければ（S103:NO）、前記タイマがタイムアウトしたか否かが判定される（S104）。
【００６７】
タイマがタイムアウトしなければ（S104:NO）、処理はS103に戻る。  
表示データの送信があれば（S103:YES）、通信処理が実行される（S105）。  
なお、以上の例では、近接通信と表示データの通信は別々の通信部によって行われるが、同一の通信、例えば、近接通信のみを利用して、表示データの送信も行うようにしてもよい。
【００６８】
すなわち、端末２Aは、近接通信部１８を介して表示装置３に接続要求を送信し、接続許可信号を受信すると、表示部１４に表示するための表示データを通信部１６あるいは近接通信部１８を介して送信するように制御される。
【００６９】
以上のように、本実施形態によれば、ユーザは、自己の端末を利用したい表示装置に近付けると利用可能が判別でき、その端末が利用可能であると表示装置にその旨が表示される。ユーザは、端末から表示データを送信すると、表示装置３に画像が表示される。
【００７０】
従って、本実施形態によれば、ユーザは、端末２Aを利用したい表示装置３Aに近付けるだけで、自己の端末２Aの識別情報等を送信して、かつ利用可能か否かを判別できるので、簡単に表示装置３Aを利用することができる。
【００７１】
（変形例）
上述した各実施形態では、表示装置は、一つの表示画面を有しているが、１つの表示装置の表示画面を分割して各分割された画面を、各端末が利用できるようにしてもよい。
【００７２】
図２５から図２７は、一つの表示装置が、複数の表示画面を有する例を示す図である。図２５は、２つの分割領域１０１ａ、１０１ｂを有する一つの表示装置１０１の例を示す図である。表示装置１０１は、１つの横長の表示画面を２つに分割して表示する分割表示モードを有している。表示装置１０１が、分割表示モードにあるときに、ユーザは操作部３５を操作することによってあるいはタッチパネルであればタッチすることによって一方の表示画面を選択することができる。
【００７３】
そのような選択状態において、選択された表示領域に対して、上述した第１及び第２の実施形態の操作をすると、ユーザは、その選択された表示領域を、端末の表示画面として利用することができる。
【００７４】
よって、二人で、一つの表示装置の分割された表示領域をそれぞれ利用することができる。
【００７５】
図２６は、表示装置の表示画面が左右の方向から見ると、それぞれ別の表示データをみることができる表示装置の例を示す図である。図２６に示す表示装置１０２は、左右からみると別々の画面が見えるいわゆるデュアルビュー装置であり、例えば、液晶パネルの前に視差バリアを設け、1ピクセルごとにバックライトからの光の進行方向を振り分けることで、左右に違う情報を表示できるように構成されている。図２６では、実線の枠が右側から見た画像を示し、点線の枠が左側から見た画像を示す。
【００７６】
よって、左右のいずれか一方を選択状態にして、その選択された表示領域に対して、上述した第１及び第２の実施形態の操作をすると、ユーザは、その選択された表示領域を、端末の表示画面として利用することができる。
【００７７】
図２７は、さらに大きな表示画面を有して、３以上に分割された表示領域を有する表示装置の例を示す図である。  表示装置１０３は、例えば、マルチ画面を有する表示装置である。表示装置１０３は、全体で一つの画像を表示できるが、複数の画面に、ここでは６つに分割して表示する分割表示モードを有している。表示装置１０３が、分割表示モードにあるときに、ユーザは操作部３５を操作することによっていずれか１つの表示画面を選択することができる。図２７では、表示装置１０３は、６つの分割表示領域１０３ａ，１０３ｂ、１０３ｃ、１０３，１０３ｄ、１０３eを有する。
【００７８】
そのような選択状態において、選択された表示領域に対して、上述した第１及び第２の実施形態の操作をすると、ユーザは、その選択された表示領域を、端末の表示画面として利用することができる。  
よって、複数人で、それぞれ一つの表示装置の分割された表示領域を利用することができる。
【００７９】
なお、上述した表示装置は、モニタ等の表示装置であるが、いわゆる投影型表示装置であるプロジェクタであってもよい。
【００８０】
さらになお、以上の例では、表示性能は、画素数等の情報により示されているが、所定の表示レベルを予め複数定めておき、レベルに応じて表示性能を満足するか否かを決定するようにしてもよい。例えば、表示性能を３つのレベルに分け、レベル３の表示ができる表示装置であれば、表示レベル１，２も表示もできるというようなルールを予め規定しておき、そのルールに基づいて表示可能か否かの判断を行うようにしてもよい。
【００８１】
また、表示装置３に、端末２から送信される表示データのフレームメモリを設けるようにしてもよい。すなわち、端末２からの表示データは表示装置３へ送信され、表示装置３のフレームメモリに格納され、その後画面上に変化があると、その変化に関わる更新情報だけが端末２から送信される。よって、端末２は、一旦表示データを送信した後は、その後に変化のあった更新データだけを送信する。そのようにすれば、無線通信における伝送速度不足の問題が解決され、かつ端末２に多くのフレームメモリを設ける必要がなくなる。
【００８２】
以上のように、上述した各実施形態及び変形例に係る表示システムによれば、端末装置から、複数の表示装置のうちの１つ、あるいは複数の表示領域の１つに対しても、自由に簡単に画面を表示させることができる。
【００８３】
なお、以上説明した動作を実行するプログラムは、コンピュータプログラム製品として、フレキシブルディスク、ＣＤ−ＲＯＭ等の可搬媒体や、ハードディスク等の記憶媒体に、その全体あるいは一部のプログラムコードが記録され、あるいは記憶されている。そのプログラムがコンピュータにより読み取られて、動作の全部あるいは一部が実行される。あるいは、そのプログラムのコードの全体あるいは一部を通信ネットワークを介して流通または提供することができる。利用者は、通信ネットワークを介してそのプログラムをダウンロードしてコンピュータにインストールしたり、あるいは記録媒体からコンピュータにインストールすることで、容易に本発明の表示システム、表示装置あるいは端末装置を実現することができる。
【００８４】
本発明は、上述した実施の形態に限定されるものではなく、本発明の要旨を変えない範囲において、種々の変更、改変等が可能である。
【符号の説明】
【００８５】
１  表示システム、２  端末装置、３  表示装置、１１，３１  CPU、１２，３２  ROM、１３，３３  RAM、１４，３４  表示部、１５，３５  操作部、１６，３６、１８，３８  通信部、１７，３７  バス
【図１】
2012019413.tif 000003
【図２】
2012019413.tif 000004
【図３】
2012019413.tif 000005
【図４】
2012019413.tif 000006
【図５】
2012019413.tif 000007
【図６】
2012019413.tif 000008
【図７】
2012019413.tif 000009
【図８】
2012019413.tif 000010
【図９】
2012019413.tif 000011
【図１０】
2012019413.tif 000012
【図１１】
2012019413.tif 000013
【図１２】
2012019413.tif 000014
【図１３】
2012019413.tif 000015
【図１４】
2012019413.tif 000016
【図１５】
2012019413.tif 000017
【図１６】
2012019413.tif 000018
【図１７】
2012019413.tif 000019
【図１８】
2012019413.tif 000020
【図１９】
2012019413.tif 000021
【図２０】
2012019413.tif 000022
【図２１】
2012019413.tif 000023
【図２２】
2012019413.tif 000024
【図２３】
2012019413.tif 000025
【図２４】
2012019413.tif 000026
【図２５】
2012019413.tif 000027
【図２６】
2012019413.tif 000028
【図２７】
2012019413.tif 000029